(57)【特許請求の範囲】
【請求項１】
周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正装置において、
前記ビット配分を示すビット配分情報と、前記圧縮符号化されたオーディオ情報の符号化値と、に基づいて、当該符号化値に対応する圧縮符号化前のオーディオ情報値が存在する範囲である前記量子化誤差の範囲を当該符号化値毎に検出する検出手段と、
前記検出された量子化誤差の範囲と、相関する他の前記符号化値に対応する前記量子化誤差の範囲と、に基づいて、一の前記符号化値に対応する復号値を出力する出力手段と、
を備えることを特徴とする量子化誤差補正装置。
【請求項２】
請求項１に記載の量子化誤差補正装置において、
前記出力手段は、前記検出された量子化誤差の範囲と、相関する他の前記符号化値に対応する前記量子化誤差の範囲と、を用いて最小二乗法により一の前記符号化値に対応する前記量子化誤差を補正し、前記復号値を出力することを特徴とする量子化誤差補正装置。
【請求項３】
請求項１又は２に記載の量子化誤差補正装置において、
他の前記符号化値は、一の前記符号化値が得られた周波数帯域に相隣接する周波数帯域により圧縮符号化された前記符号化値であることを特徴とする量子化誤差補正装置。
【請求項４】
周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正装置において、
前記圧縮符号化されたオーディオ情報の符号化値と圧縮符号化前のオーディオ情報値との誤差と、相関する他の前記周波数帯域における前記符号化値のレベルと、に少なくとも基づいて算出された補正値であって各前記周波数帯域毎に前記符号化値を補正する補正値を予め記憶する記憶手段と、
前記ビット配分を示すビット配分情報及び前記符号化値に基づいて前記補正値を前記記憶手段から読み出し、当該読み出した補正値及び前記符号化値に基づいて各前記周波数帯域毎に前記符号化値に対応する復号値を出力する出力手段と、
を備えることを特徴とする量子化誤差補正装置。
【請求項５】
請求項１から４のいずれか一項に記載の量子化誤差補正装置において、
前記オーディオ情報の圧縮符号化が、各前記周波数帯域毎の変換符号化であることを特徴とする量子化誤差補正装置。
【請求項６】
請求項１から４のいずれか一項に記載の量子化誤差補正装置において、
前記オーディオ情報の圧縮符号化が、各前記周波数帯域毎のサブバンド符号化であることを特徴とする量子化誤差補正装置。
【請求項７】
請求項１から６のいずれか一項に記載の量子化誤差補正装置と、
前記出力された復号値に対して前記オーディオ情報の圧縮符号化処理に対応した復号処理を施し、外部に出力する復号手段と、
を備えることを特徴とするオーディオ情報復号装置。
【請求項８】
周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正方法において、
前記ビット配分を示すビット配分情報と、前記圧縮符号化されたオーディオ情報の符号化値と、に基づいて、当該符号化値に対応する圧縮符号化前のオーディオ情報値が存在する範囲である前記量子化誤差の範囲を当該符号化値毎に検出する検出工程と、
前記検出された量子化誤差の範囲と、相関する他の前記符号化値に対応する前記量子化誤差の範囲と、に基づいて、一の前記符号化値に対応する復号値を出力する出力工程と、
を備えることを特徴とする量子化誤差補正方法。
【請求項９】
請求項８に記載の量子化誤差補正方法において、
前記出力工程においては、前記検出された量子化誤差の範囲と、相関する他の前記符号化値に対応する前記量子化誤差の範囲と、を用いて最小二乗法により一の前記符号化値に対応する前記量子化誤差を補正し、前記復号値を出力することを特徴とする量子化誤差補正方法。
【請求項１０】
請求項８又は９に記載の量子化誤差補正方法において、
他の前記符号化値は、一の前記符号化値が得られた周波数帯域に相隣接する周波数帯域により圧縮符号化された前記符号化値であることを特徴とする量子化誤差補正方法。
【請求項１１】
周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正方法において、
前記圧縮符号化されたオーディオ情報の符号化値と圧縮符号化前のオーディオ情報値との誤差と、相関する他の前記周波数帯域における前記符号化値のレベルと、に少なくとも基づいて算出された補正値であって各前記周波数帯域毎に前記符号化値を補正する補正値を予め記憶している記憶手段から、前記ビット配分を示すビット配分情報及び前記符号化値に基づいて前記補正値を読み出し、当該読み出した補正値及び前記符号化値に基づいて各前記周波数帯域毎に前記符号化値に対応する復号値を出力する出力工程を備えることを特徴とする量子化誤差補正方法。
【請求項１２】
請求項８から１１のいずれか一項に記載の量子化誤差補正方法において、
前記オーディオ情報の圧縮符号化が、各前記周波数帯域毎の変換符号化であることを特徴とする量子化誤差補正方法。
【請求項１３】
請求項８から１１のいずれか一項に記載の量子化誤差補正方法において、
前記オーディオ情報の圧縮符号化が、各前記周波数帯域毎のサブバンド符号化であることを特徴とする量子化誤差補正方法。
【請求項１４】
請求項８から１３のいずれか一項に記載の量子化誤差補正方法と、
前記出力された復号値に対して前記オーディオ情報の圧縮符号化処理に対応した復号処理を施し、外部に出力する復号工程と、
を備えることを特徴とするオーディオ情報復号方法。
【発明の詳細な説明】
【０００１】
【発明の属する技術分野】
本発明は、量子化誤差補正方法及び装置並びに当該量子化誤差補正方法及び装置を含むオーディオ情報復号方法及び装置の技術分野に属し、より詳細には、圧縮符号化されたオーディオ情報を復号する際に発生する量子化誤差を補正する量子化誤差補正方法及び装置並びに当該量子化誤差補正方法及び装置を含むオーディオ情報復号方法及び装置の技術分野に属する。
【０００２】
【従来の技術】
従来、限られた記録容量を有する情報記録媒体（例えば、光ディスク等）に対してより長い再生時間を有するオーディオ情報（音声情報及び音声以外の音情報を含む。以下、同じ。）を記録すべく、当該オーディオ情報に対して、いわゆる圧縮符号化（一般には高能率符号化とも称する。）を施して当該情報記録媒体に記録することが行われている。
【０００３】
ここで、記録すべきオーディオ情報に対する圧縮符号化の一手法として、当該オーディオ情報を周波数帯域分割し、夫々分割された周波数帯域毎に最適な（相互に異なる）ビット数を割り当てて符号化する符号化方法がある（より具体的には、例えば、時間領域のオーディオ情報を含むオーディオ信号を数サンプルずつのブロックに分割し、当該ブロック毎にＭＤＣＴ（Modified  Discrete  Cosine  Transform）等の直交基底による時間−周波数変換を用いて周波数領域の変換係数に変換し、この変換係数毎に量子化を行う変換符号化方式と称されるディジタル圧縮方式や、当該オーディオ信号をＢＰＦ（Band  Pass  Filter）或いはＬＰＦ（Low  Pass  Filter）とＨＰＦ（High  Pass  Filter）とを組み合わせたフィルタバンクを用いて周波数分割し、当該分割された周波数帯域幅に応じてデシメーション（間引き処理）を行った後に各周波数帯域毎に量子化を行うサブバンド符号化方式と称されるディジタル圧縮方式等がこれに該当する。）。
【０００４】
このとき、当該ビット数の割り当て（当該割り当てを一般にビットアロケーション（ビット配分）と称する。）においては、人の聴覚におけるいわゆるマスキング特性を利用して、当該聴覚上聞こえないとされる周波数帯域については割り当てるビット数を削減し、オーディオ情報全体としての情報量を低減して圧縮符号化することが通常である。
【０００５】
なお、上記したマスキング特性とは、大きな音圧レベルを有する音に近い周波数（特にその音の高域側で近い周波数）を有する音圧レベルの低い音は、人の聴覚上認識されなくなる特性をいう。
【０００６】
上述した圧縮符号化の一手法によれば、人の聴覚に対応して聴感上の音質の低下を最低限に抑制しつつ効率的に情報量を削減し、効果的にオーディオ情報を圧縮符号化することができる。
【０００７】
【発明が解決しようとする課題】
しかしながら、上述した圧縮符号化の手法により符号化されたオーディオ情報のうち、低ビット数が割り当てられて符号化された周波数帯域のオーディオ情報については、その低ビット数に起因して、復号の際の復号精度が低下する、すなわち、復号後の値と符号化前の値との差が大きくなってしまうという問題点があった。
【０００８】
一方、近年の高音質再生重視の傾向に鑑みれば、たとえ上記マスキング特性により定常時において聴覚上聞こえないとされる周波数帯域のオーディオ情報であっても、これを忠実に復号する方がオーディオ情報全体として高精度に復号する（すなわち、高音質に再生する）ことができるものと期待される。
【０００９】
そこで、本発明は、上述した問題点に鑑みて為されたもので、その課題は、符号化時に低ビット数で符号化された周波数帯域のオーディオ情報の復号精度を向上させることが可能な量子化誤差補正方法及び装置を提供すると共に、当該復号精度の向上によりオーディオ情報全体を高音質で復号することが可能なオーディオ情報復号方法及び装置を提供することにある。
【００１０】
【課題を解決するための手段】
上記の課題を解決するために、請求項１に記載の発明は、周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正装置において、前記ビット配分を示すビット配分情報と、前記圧縮符号化されたオーディオ情報の符号化値と、に基づいて、当該符号化値に対応する圧縮符号化前のオーディオ情報値が存在する範囲である前記量子化誤差の範囲を当該符号化値毎に検出する誤差範囲算出部等の検出手段と、前記検出された量子化誤差の範囲と、相関する他の前記符号化値に対応する前記量子化誤差の範囲と、に基づいて、一の前記符号化値に対応する復号値を出力する補正処理部等の出力手段と、を備える。
【００１１】
よって、検出された量子化誤差の範囲と相関する他の符号化値に対応する量子化誤差の範囲とに基づいて一の符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【００１２】
上記の課題を解決するために、請求項２に記載の発明は、請求項１に記載の量子化誤差補正装置において、前記出力手段は、前記検出された量子化誤差の範囲と、相関する他の前記符号化値に対応する前記量子化誤差の範囲と、を用いて最小二乗法により一の前記符号化値に対応する前記量子化誤差を補正し、前記復号値を出力するように構成される。
【００１３】
よって、検出された量子化誤差の範囲と相関する他の符号化値に対応する量子化誤差の範囲とを用いて最小二乗法により量子化誤差を補正するので、高精度な復号値を出力することができる。
【００１４】
上記の課題を解決するために、請求項３に記載の発明は、請求項１又は２に記載の量子化誤差補正装置において、他の前記符号化値は、一の前記符号化値が得られた周波数帯域に相隣接する周波数帯域により圧縮符号化された前記符号化値であるように構成される。
【００１５】
よって、検出された量子化誤差の範囲と相隣接する周波数帯域により圧縮符号化された符号化値に対応する量子化誤差の範囲とに基づいて一の符号化値に対応する復号値を出力するので、簡易な処理により当該量子化誤差を補正し、オーディオ情報の復号精度を向上させることができる。
【００１６】
上記の課題を解決するために、請求項４に記載の発明は、周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正装置において、前記圧縮符号化されたオーディオ情報の符号化値と圧縮符号化前のオーディオ情報値との誤差と、相関する他の前記周波数帯域における前記符号化値のレベルと、に少なくとも基づいて算出された補正値であって各前記周波数帯域毎に前記符号化値を補正する補正値を予め記憶するメモリ等の記憶手段と、前記ビット配分を示すビット配分情報及び前記符号化値に基づいて前記補正値を前記記憶手段から読み出し、当該読み出した補正値及び前記符号化値に基づいて各前記周波数帯域毎に前記符号化値に対応する復号値を出力する制御部等の出力手段と、を備える。
【００１７】
よって、オーディオ情報の符号化値と圧縮符号化前のオーディオ情報値との誤差と、相関する他の周波数帯域における符号化値のレベルと、に少なくとも基づいて予め算出された補正値をビット配分情報及び符号化値に基づいて読み出し、当該読み出した補正値及び符号化値に基づいて各周波数帯域毎に符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【００１８】
上記の課題を解決するために、請求項５に記載の発明は、請求項１から４のいずれか一項に記載の量子化誤差補正装置において、前記オーディオ情報の圧縮符号化が、各前記周波数帯域毎の変換符号化であるように構成される。
【００１９】
よって、周波数帯域毎の変換符号化により圧縮符号化されたオーディオ情報の復号精度を向上させることができる。
【００２０】
上記の課題を解決するために、請求項６に記載の発明は、請求項１から４のいずれか一項に記載の量子化誤差補正装置において、前記オーディオ情報の圧縮符号化が、各前記周波数帯域毎のサブバンド符号化であるように構成される。
【００２１】
よって、周波数帯域毎のサブバンド符号化により符号化されたオーディオ情報の復号精度を向上させることができる。
【００２２】
上記の課題を解決するために、請求項７に記載の発明は、請求項１から６のいずれか一項に記載の量子化誤差補正装置と、前記出力された復号値に対して前記オーディオ情報の圧縮符号化処理に対応した復号処理を施し、外部に出力する変換部等の復号手段と、を備える。
【００２３】
よって、低ビット数で圧縮符号化された周波数帯域のオーディオ情報に含まれる量子化誤差を補正した復号値を生成して外部に出力するので、当該オーディオ情報の復号精度を向上させることができる。
【００２４】
上記の課題を解決するために、請求項８に記載の発明は、周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正方法において、前記ビット配分を示すビット配分情報と、前記圧縮符号化されたオーディオ情報の符号化値と、に基づいて、当該符号化値に対応する圧縮符号化前のオーディオ情報値が存在する範囲である前記量子化誤差の範囲を当該符号化値毎に検出する検出工程と、前記検出された量子化誤差の範囲と、相関する他の前記符号化値に対応する前記量子化誤差の範囲と、に基づいて、一の前記符号化値に対応する復号値を出力する出力工程と、を備える。
【００２５】
よって、検出された量子化誤差の範囲と相関する他の符号化値に対応する量子化誤差の範囲とに基づいて一の符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【００２６】
上記の課題を解決するために、請求項９に記載の発明は、請求項８に記載の量子化誤差補正方法において、前記出力工程においては、前記検出された量子化誤差の範囲と、相関する他の前記符号化値に対応する前記量子化誤差の範囲と、を用いて最小二乗法により一の前記符号化値に対応する前記量子化誤差を補正し、前記復号値を出力するように構成される。
【００２７】
よって、検出された量子化誤差の範囲と相関する他の符号化値に対応する量子化誤差の範囲とを用いて最小二乗法により量子化誤差を補正するので、高精度な復号値を出力することができる。
【００２８】
上記の課題を解決するために、請求項１０に記載の発明は、請求項８又は９に記載の量子化誤差補正方法において、他の前記符号化値は、一の前記符号化値が得られた周波数帯域に相隣接する周波数帯域により圧縮符号化された前記符号化値であるように構成される。
【００２９】
よって、検出された量子化誤差の範囲と相隣接する周波数帯域により圧縮符号化された符号化値に対応する量子化誤差の範囲とに基づいて一の符号化値に対応する復号値を出力するので、簡易な処理により当該量子化誤差を補正し、オーディオ情報の復号精度を向上させることができる。
【００３０】
上記の課題を解決するために、請求項１１に記載の発明は、周波数帯域分割された後当該各周波数帯域毎に聴覚の周波数特性に基づきビット配分されて圧縮符号化されたオーディオ情報を復号する際に、当該圧縮符号化されたオーディオ情報に含まれている量子化誤差を補正する量子化誤差補正方法において、前記圧縮符号化されたオーディオ情報の符号化値と圧縮符号化前のオーディオ情報値との誤差と、相関する他の前記周波数帯域における前記符号化値のレベルと、に少なくとも基づいて算出された補正値であって各前記周波数帯域毎に前記符号化値を補正する補正値を予め記憶している記憶手段から、前記ビット配分を示すビット配分情報及び前記符号化値に基づいて前記補正値を読み出し、当該読み出した補正値及び前記符号化値に基づいて各前記周波数帯域毎に前記符号化値に対応する復号値を出力する出力工程を備える。
【００３１】
よって、オーディオ情報の符号化値と圧縮符号化前のオーディオ情報値との誤差と、相関する他の周波数帯域における符号化値のレベルと、に少なくとも基づいて予め算出された補正値をビット配分情報及び符号化値に基づいて読み出し、当該読み出した補正値及び符号化値に基づいて各周波数帯域毎に符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【００３２】
上記の課題を解決するために、請求項１２に記載の発明は、請求項８から１１のいずれか一項に記載の量子化誤差補正方法において、前記オーディオ情報の圧縮符号化が、各前記周波数帯域毎の変換符号化であるように構成される。
【００３３】
よって、周波数帯域毎の変換符号化により圧縮符号化されたオーディオ情報の復号精度を向上させることができる。
【００３４】
上記の課題を解決するために、請求項１３に記載の発明は、請求項８から１１のいずれか一項に記載の量子化誤差補正方法において、前記オーディオ情報の圧縮符号化が、各前記周波数帯域毎のサブバンド符号化であるように構成される。
【００３５】
よって、周波数帯域毎のサブバンド符号化により符号化されたオーディオ情報の復号精度を向上させることができる。
【００３６】
上記の課題を解決するために、請求項１４に記載の発明は、請求項８から１３のいずれか一項に記載の量子化誤差補正方法と、前記出力された復号値に対して前記オーディオ情報の圧縮符号化処理に対応した復号処理を施し、外部に出力する復号工程と、を備える。
【００３７】
よって、低ビット数で圧縮符号化された周波数帯域のオーディオ情報に含まれる量子化誤差を補正した復号値を生成して外部に出力するので、当該オーディオ情報の復号精度を向上させることができる。
【００３８】
【発明の実施の形態】
次に、本発明に好適な実施の形態について図面に基づいて説明する。
【００３９】
なお、以下に説明する実施の形態は、光ディスク等の情報記録媒体又は放送電波等を介して入力されるオーディオ情報であって、周波数帯域分割された後当該各周波数帯域毎に聴覚のマスキング特性に基づきビット配分されて圧縮符号化されたオーディオ情報を復号するオーディオ情報復号装置に対して本発明を適用した場合について説明するものである。
【００４０】
ここで、具体的に当該ビット配分においては、人の聴覚における上記マスキング特性を利用して、当該聴覚上聞こえないとされる周波数帯域については割り当てるビット数を削減すると共に、一方で聴覚上明瞭に認識される周波数帯域については割り当てるビット数を増大させることにより、オーディオ情報全体としての情報量を低減して圧縮符号化が為されているものとする。
【００４１】
（Ｉ）第１実施形態
先ず、本発明に係る第１実施形態について図１及び図２を用いて説明する。
【００４２】
なお、図１は第１実施形態に係るオーディオ情報復号装置の構成を示すブロック図であり、図２は第１実施形態に係る復号処理を示す模式図である。
【００４３】
図１（ａ）に示すように、第１実施形態に係るオーディオ情報復号装置Ｓは、情報抽出部１と、本発明に係る誤差補正部２と、復号手段としての変換部３と、により構成されている。
【００４４】
次に、動作を説明する。
【００４５】
先ず、情報抽出部１には、上記情報記録媒体又は放送電波を介して復号すべきオーディオ情報Ｓinが入力されている。このオーディオ情報Ｓinは、上述したように周波数帯域分割された後当該各周波数帯域毎に人の聴覚のマスキング特性を用いたビット配分が施されて圧縮符号化されており、当該オーディオ情報Ｓinには圧縮符号化されたオーディオ情報本体の他に、上記分割された周波数帯域毎のビット配分を示すビット配分情報が付帯して伝送されている。また、第１実施形態の場合は、当該圧縮符号化の具体例としては上記した変換符号化方式が用いられている。
【００４６】
そして、情報抽出部１は、当該オーディオ情報Ｓinから上記オーディオ情報本体とビット配分情報とを分離し、当該オーディオ情報本体を含むオーディオデータＳpdと当該ビット配分情報を含む配分データＳarとを生成し、誤差補正部２に出力する。
【００４７】
次に、誤差補正部２は、オーディオデータＳpd及び配分データＳarを用いて後述する補正処理により当該オーディオデータＳpdに含まれる後述する量子化誤差を補正し、周波数軸のオーディオ情報を含む補正データＳrvを生成して変換部３へ出力する。
【００４８】
これにより、変換部３は、当該補正データＳrvを周波数軸から時間軸に変換し、復号されたオーディオ情報としての復号データＳoutを生成して外部に出力する。
【００４９】
次に、誤差補正部２の細部構成及び動作について、図１（ｂ）及び図２を用いて説明する。
【００５０】
図１（ｂ）に示すように、第１実施形態の誤差補正部２は、検出手段としての誤差範囲算出部１０と、出力手段としての補正処理部１１と、により構成されている。
【００５１】
次に、動作を説明する。
【００５２】
先ず、誤差範囲算出部１０は、配分データＳarに含まれているビット配分情報に基づいてオーディオデータＳpdに含まれている各符号化値（すなわち、情報記録媒体又は放送電波を介して伝送されたオーディオ情報の符号化値）に含まれている量子化誤差の範囲を算出し、当該範囲を示す範囲データＳspを生成して補正処理部１１へ出力する。
【００５３】
ここで、当該量子化誤差の範囲について図２（ａ）を用いて説明する。
【００５４】
先ず、上述した符号化値は、その符号化の段階において、符号化前のオーディオ情報の音圧レベルとしての真値（マスキング特性に基づいて分割された周波数帯域毎の真値）を当該周波数帯域に配分されたビット数で量子化して得られるものである。
【００５５】
すなわち、図２（ａ）に示すある周波数帯域における真値（規格化され、±１．０の範囲内にあるものとする。）を２ビットで対称量子化して符号化したとすると、その符号化値は、＋０．３（＋０．３３３……）となる。そして、この符号化値が上記情報記録媒体又は放送電波を介してビット配分情報と共に第１実施形態に係るオーディオ復号装置Ｓにオーディオ情報Ｓinとして入力される。
【００５６】
一方、この一連の符号化処理により得られた符号化値を復号する場合を考えると、オーディオ情報復号装置Ｓには当該符号化値とそれに対応するビット配分情報のみが伝送されてくるので、当該オーディオ復号装置Ｓにおいては元の真値を正確に取得することはできない。
【００５７】
そして、この伝送されてきた符号化値から元の真値を復号するとき、例えば図２（ａ）の場合を例とすると、２ビットのビット配分を用いた対称量子化によって得られた符号化値が＋０．３であった場合は、元の真値は最小値「０」、最大値「＋０．６」で定められる範囲内のいずれかの値であることとなる。この「０」以上「＋０．６」以下の範囲が第１実施形態における量子化誤差の範囲ということになり、この誤差が誤差範囲算出部１０において上記した方法により算出され、当該周波数帯域毎の最小値及び最大値を含む上記範囲データＳspとして補正処理部１１へ出力される。
【００５８】
次に、範囲データＳspが入力される補正処理部１１は、低周波数側及び高周波数側に相隣接する周波数帯域の符号化値に対応する当該最小値及び最大値と、その間にある周波数帯域の符号化値に対応する当該最小値及び最大値と、を用いて、当該間にある周波数帯域の符号化値に含まれている上記量子化誤差を以下に説明する処理により補正し、上記補正データＳrvを生成して変換部３に出力する。
【００５９】
このとき、当該補正処理について図２（ｂ）を用いて説明すると、先ず、符号化前のオーディオ情報は周波数軸上で不連続となることはほとんどないと一般に考えられるので、周波数軸上において相隣接する周波数帯域に対応する上記各符号化値は相互に相関関係を有することが多い。そこで、第１実施形態の補正処理においては、当該相関関係を用いて相隣接する周波数帯域間で上記算出された量子化誤差の範囲から以下に示す近似式により元の真値に相当する補正値を算出するのである。
【００６０】
より具体的に例えば、当該補正値を算出すべき符号化値に対応する周波数帯域に対して低周波数側にあるｎl個（ｎl≧０）の周波数帯域に対応する各量子化誤差の範囲と高周波数側にあるｎh個（ｎh≧０）の周波数帯域に対応する各量子化誤差の範囲とを用いて当該補正値Ｙk（ｋは伝送されてきた符号化値の番号）を算出する場合には、上記近似式を用いて以下のように求める。
【００６１】
【数１】
0003804902.tif 000002
【００６２】
ここで、係数ａkの算出方法について図２（ｂ）を用いて説明する。
【００６３】
第１実施形態においては、当該係数ａkの算出に、いわゆる最小二乗法を用いる。
【００６４】
すなわち、先ず、ｎl及びｎhを夫々「１」と仮定し、伝送されてきたｋ番目の符号化値をｙkとし、誤差範囲算出部１０により算出された量子化誤差の範囲の最小値をｙkminとし、当該量子化誤差の範囲の最大値をｙkmaxとし、求めるべき補正値をＹkとする。そして、最小二乗法により補正値を算出するための周波数軸方向の間隔の初期値をＮとして相互に相隣接する符号化値ｙk、ｙk-1及びｙk+1相互の大小関係の場合分けに応じて以下の六通りの座標値の組み合わせを算出する。
【００６５】
【表１】
0003804902.tif 000003
【００６６】
次に、上記の六通りの場合それぞれについて、求まった座標値の組み合わせに対し、最小二乗法により二次曲線近似して上記係数ａ0、ａ1及びａ2を以下の行列式を解くことにより算出する。なお、以下の行列式では、各々の座標点の組み合わせに含まれる座標点の数が六個なのでｋ＝６とし、更に六個の座標値をそれぞれ（ｘ1、ｙ1）、（ｘ2、ｙ2）、……、（ｘ6、ｙ6）としている。
【００６７】
【数２】
0003804902.tif 000004
【００６８】
このとき、補正値Ｙkの算出に用いる二次近時曲線と六つの座標点との関係の例を上記表２における条件番号▲３▼の場合について示すと、図２（ｂ）のようになる。なお、図２（ｂ）において、その横軸は規格化された周波数ｆNであり、縦軸は符号化値ｙである。
【００６９】
そして、算出された各係数ａ0、ａ1及びａ2により構成される上記近似式にｆN＝０を代入することにより、求める補正値ＹkをＹk＝ａ0として算出することができる。
【００７０】
その後、求まった補正値Ｙkを伝送されてきた符号値ｙkに代わる補正値として補正データＳrvとして変換部３に出力するのである。
【００７１】
以上説明したように、第１実施形態の誤差補正部２の動作によれば、検出された量子化誤差の範囲と周波数軸上で相隣接する周波数帯域の符号化値ｙk-1及びｙk+1にそれぞれ対応する二つの量子化誤差の範囲とに基づいて一の符号化値ｙkに対応する補正値Ｙkを出力するので、圧縮符号化時のビット配分において低ビット数で圧縮符号化された周波数帯域のオーディオ情報における量子化誤差を補正し、当該オーディオ情報の復号精度を向上させることができる。
【００７２】
また、最小二乗法により補正値Ｙkを算出して量子化誤差を補正するので、高精度な補正を行うことができる。
【００７３】
更に、検出された量子化誤差の範囲と周波数軸上で相隣接する周波数帯域の符号化値ｙk-1及びｙk+1にそれぞれ対応する二つの量子化誤差の範囲とに基づいて一の符号化値ｙkに対応する補正値Ｙkを出力するので、簡易な処理により当該量子化誤差を補正し、オーディオ情報の復号精度を向上させることができる。
【００７４】
更にまた、周波数帯域毎の変換符号化により圧縮符号化されたオーディオ情報の復号精度を向上させることによりオーディオ情報全体を高音質で復号することができる。
【００７５】
なお、上述した第１実施形態の誤差補正処理において、最小二乗法により算出した補正値Ｙkが元の符号化値ｙkにおける量子化誤差の最小値ｙkmin未満となった場合又は最大値ｙkmaxより大きくなった場合には、上述した周波数軸方向の間隔の初期値ＮをＮ＋Δとして再度上述した一連の補正値算出処理を実行して新たに補正値Ｙkを算出すればよい。そして、この処理を、算出した補正値Ｙkが元の符号化値ｙkにおける量子化誤差の最小値ｙkmin以上最大値ｙkmax以下となるまで繰り返して最終的に補正値Ｙkを求めればよい。
【００７６】
また、上述した第１実施形態における補正値算出処理においては、周波数軸上で相隣接する周波数帯域の符号化値ｙk-1及びｙk+1にそれぞれ対応する二つの量子化誤差の範囲を用いて補正値Ｙkを算出したが、これ以外に、相隣接はしないが近接する周波数帯域（例えば、一つおいて離れた周波数帯域）の符号化値にそれぞれ対応する二つの量子化誤差の範囲を用いて補正値を算出してもよいし、或いは、低周波数側のみ又は高周波数側のみの他の周波数帯域の符号化値に対応する量子化誤差の範囲を用いて補正値を算出してもよい。
【００７７】
更に、算出した補正値Ｙkが元の符号化値ｙkにおける量子化誤差の最小値ｙkmin未満となった場合又は最大値ｙkmaxより大きくなった場合の他の処理としては、算出された補正値Ｙkが当該最大値ｙkmaxより大きいときはその最大値ｙkmaxそのものを補正値として変換部３へ出力し、一方、算出された補正値Ｙkが当該最小値ｙkminより小さいときはその最小値ｙkminそのものを補正値として変換部３へ出力するように構成することもできる。
【００７８】
更にまた、相隣接する符号化値ｙk-1及びｙk+1を用いる最小二乗法以外の他の補正値算出方法としては、例えば、いわゆるフーリエ級数を用いた近似方法や算術平均近似方法等を用いることができる。
【００７９】
（II）第2実施形態
次に、本発明に係る他の実施形態である第２実施形態について、図３を用いて説明する。なお、図３は第２実施形態に係る誤差補正部の細部構成を示すブロック図である。
【００８０】
上述した第１実施形態の誤差補正部２においては、入力された符号化値から量子化誤差の範囲を求め、更に相隣接する周波数帯域の符号化値ｙk-1及びｙk+1に対応する量子化誤差の範囲を用いて符号化値ｙkを補正した補正値Ｙkを算出したが、第２実施形態の誤差補正部においては、各周波数帯域毎の補正値をあらかじめ実験的に算出しておき、これをテーブル化してメモリに記憶し、更に情報抽出部１により抽出された符号化値とビット配分情報とをアドレス情報として用いてメモリ内の補正値を読み出し、これを補正データＳrvとして変換部３に出力する。
【００８１】
なお、第２実施形態のオーディオ情報復号装置においては、誤差補正部以外の構成は第１実施形態におけるオーディオ情報復号装置Ｓの場合と同様であるので細部の説明は省略する。
【００８２】
図３（ａ）に示すように、第２実施形態の誤差補正部２’は、出力手段としての制御部２０と、記憶手段としてのメモリ２１と、加算器２２と、により構成されている。
【００８３】
次に動作を説明する。
【００８４】
先ず、第２実施形態の誤差補正部２’に情報抽出部１から入力されるオーディオデータＳpdは、制御部２０及び加算器２２へ出力され、一方配分データＳarは制御部２０へ出力される。
【００８５】
次に、メモリ２１は、図３（ｂ）に示すような予め算出された補正加算値Ｃp,lにより構成されているテーブルＴを記憶している。
【００８６】
このテーブルＴに含まれている各補正加算値Ｃp,lは、補正しようとする符号化値ｙkに対応する周波数帯域に対して周波数軸上において低周波数側及び高周波側に夫々相隣接してある符号化値ｙk-1及びｙk+1相互の大小関係による場合分けの番号ｐと第２実施形態のオーディオ情報復号装置に伝送されてくる可能性のあるビット配分情報におけるビット数ｌとにより特定されるものであり、この補正加算値Ｃp,lを符号化値ｙkに加算することにより補正データＳrvとして出力すべき補正値Ｙkを生成するためのものである。
【００８７】
一方、制御部２０は、入力されるオーディオデータＳpdに含まれている符号化値ｙk、ｙk-1及びｙk+1と配分データＳarに含まれているビット配分情報（配分ビット数ｌ）とに基づいて、メモリ２１に記憶されている補正加算値Ｃp,lのうち当該メモリ２１から出力すべき補正加算値Ｃp,lを選択して当該出力させるための制御信号Ｓcを生成し、当該メモリ２１に出力する。
【００８８】
そして、メモリ２１は当該制御信号Ｓcにより示される補正加算値Ｃp,lを補正加算データＳadとして加算器２２に出力する。
【００８９】
その後、加算器２２は、補正加算データＳadに含まれている補正加算値Ｃp,lをオーディオデータＳpdに含まれている符号化値ｙkに加算し、補正値Ｙkを算出して補正データＳrvとして変換部３へ出力する。
【００９０】
次に、第２実施形態に係る上記加算補正値Ｃp,lの設定方法について説明する。
【００９１】
第２実施形態における各加算補正値Ｃp,lは、予め実際の音楽に相当するオーディオ情報を用いて求められた符号化前のオーディオ情報における上記真値の分布に基づいて予め算出されるものである。そして、当該分布を求めるパラメータとしては、例えば、当該オーディオ情報において近接する周波数帯域における当該真値を量子化した量子化値のレベル、当該真値を符号化する際に配分されるビット数或いは当該周波数帯域における具体的な周波数値等が考えられるが、用いるパラメータが多いほどメモリ２１に記憶させるべきテーブルＴの記憶量が多くなること等を考慮し、以下に説明する第２実施形態では、近接する周波数帯域における真値を量子化した量子化値のレベルの大小関係及び当該真値を符号化する際に配分されるビット数を用いて真値の分布を求め、これにより以下に示す四段階の手順で加算補正値Ｃp,lを予め求める。
【００９２】
より具体的には、先ず、加算補正値算出の第１段階の処理として、符号化されるオーディオ情報を擬似的に符号化し、周波数軸上の（すなわち、周波数領域の）符号化値を求める。
【００９３】
すなわち、符号化すべきオーディオ情報Ｘｎを符号化時に用いられる時間周波数変換関数Ｆ（Ｘ）を用いて周波数軸上の値に変換する。つまり、オーディオ情報Ｘｎを
【００９４】
【数３】
Ｘｎ＝｛ｘ(n)，ｘ(n+1)，……，ｘ（n+N）｝  （ここで、ｘ(n)は符号化前のオーディオ情報のサンプル値であり、ｎは時間軸上の番号である。）
とすると、時間周波数変換関数Ｆ（Ｘ）を用いて周波数軸上の値列Ｙｎを、
【００９５】
【数４】
0003804902.tif 000005
と算出する。
【００９６】
次に、第２段階の処理として、第１段階の処理により算出された値ｙn(ｋ)を、復号時に想定される全ての量子化レベルを用いて量子化する。
【００９７】
すなわち、当該値ｙn(ｋ)を、量子化レベルｑl（ｌは復号時に用いられる可能性のある全ての配分ビット数であり、具体的には、ｌ＝１、２、３、……、ｍとする。）で量子化し、以下の式により量子化値ｙn,l(ｋ)を夫々算出する。
【００９８】
【数５】
ｙn,l(ｋ)＝‖ｙn(ｋ)‖ql  （ここで、‖  ‖qlは量子化処理を示す。）
【００９９】
そして、第３段階の処理として、量子化値ｙn,l(ｋ)と量子化前の値ｙn(ｋ)との間の量子化誤差を実際に求める。
【０１００】
すなわち、量子化により算出された量子化値ｙn,l(ｋ)と量子化前の値ｙn(ｋ)との実際の誤差Δn,l(ｋ)を夫々時間軸上の番号ｎ、配分ビット数ｌ及び周波数軸上の番号ｋ毎に、
【０１０１】
【数６】
Δn,l(ｋ)＝ｙn(ｋ)−ｙn,l(ｋ)
により求める。
【０１０２】
最後に、第４段階の処理として、上記誤差Δn,l(ｋ)を数多くのオーディオ情報について算出し、その平均値を加算補正値Ｃp,lとしてテーブル化し、テーブルＴとしてメモリ２１に記憶させる。
【０１０３】
すなわち、加算補正値算出の対象とする量子化値ｙn,l(ｋ)に対して周波数軸上で直前及び直後にある量子化値ｙn,l(k-1)及び量子化値ｙn,l(k+1)の大きさに応じて四通りに場合分けし、夫々の場合毎に上記誤差Δn,l(ｋ)の総和Ｄp,l（ここで、ｐは上記した場合分けの番号であり、前後の量子化値を用いることから、具体的には０乃至３（図３（ｂ）に示すテーブルＴにおける▲１▼乃至▲４▼に夫々相当）のいずれかである。）と総和Ｄp,lを算出する際に加算した誤差Δn,l(ｋ)の数Ｍp,lとから、以下の処理により加算補正値Ｃp,lを夫々求める。
【０１０４】
最初に、以下の処理により総和Ｄp,lを各場合分け毎に算出する。
【０１０５】
【数７】
場合１；  ｙn,l(k-1)＞ｙn,l(ｋ)でありｙn,l(ｋ)＞ｙn,l(k+1)であるとき
Ｄ0,l＝Ｄ0,l＋Δn,l(ｋ)  ，  Ｍ0,l＝Ｍ0,l＋１
場合２；  ｙn,l(k-1)＜ｙn,l(ｋ)でありｙn,l(ｋ)＞ｙn,l(k+1)であるとき
Ｄ1,l＝Ｄ1,l＋Δn,l(ｋ)  ，  Ｍ1,l＝Ｍ1,l＋１
場合３；  ｙn,l(k-1)＞ｙn,l(ｋ)でありｙn,l(ｋ)＜ｙn,l(k+1)であるとき
Ｄ2,l＝Ｄ2,l＋Δn,l(ｋ)  ，  Ｍ2,l＝Ｍ2,l＋１
場合４；  ｙn,l(k-1)＜ｙn,l(ｋ)でありｙn,l(ｋ)＜ｙn,l(k+1)であるとき
Ｄ3,l＝Ｄ3,l＋Δn,l(ｋ)  ，  Ｍ3,l＝Ｍ3,l＋１
【０１０６】
次に、これらＤ0,l乃至Ｄ3,lを多くの実際のオーディオ情報について算出し、これらから加算補正値Ｃp,lを
【０１０７】
【数８】
Ｃp,l＝Ｄp,l／Ｍp,l
として算出する。
【０１０８】
この後は、上述した処理により算出された加算補正値Ｃp,lから図３（ｂ）に示すテーブルＴを構成してメモリ２１内に記憶しておき、これを制御信号Ｓcに基づいて読み出し、加算器２２にて符号化値ｙkと加算して補正データＳrvとしての補正値Ｙkを算出するのである。
【０１０９】
このとき、制御部２０は、オーディオデータＳpdに含まれている符号化値ｙk、ｙk-1及びｙk+1相互の大小関係と配分データＳarに含まれているビット配分情報とに基づいて、以下の場合分けに対応する補正加算値Ｃp,lを読み出して加算器２２へ出力し補正値Ｙkを算出すべく当該制御信号Ｓcを生成する。
【０１１０】
【表２】
0003804902.tif 000006
【０１１１】
上述した第２実施形態の誤差補正部２’の動作によれば、オーディオ情報の符号化値ｙkと圧縮符号化前のオーディオ情報値との誤差Δn,l(ｋ)と、相隣接する周波数帯域における符号化値ｙk-1及びｙk+1のレベルと、に基づいて予め算出された加算補正値Ｃp,lを配分ビット数及び符号化値ｙkに基づいてメモリ２１から読み出し、当該読み出した加算補正値Ｃp,l及び符号化値ｙkに基づいて各周波数帯域毎に補正値Ｙkを出力するので、圧縮符号化時のビット配分において低ビット数で圧縮符号化された周波数帯域のオーディオ情報における量子化誤差を補正し、当該オーディオ情報の復号精度を向上させることができる。
【０１１２】
また、周波数帯域毎の変換符号化により圧縮符号化されたオーディオ情報の復号精度を向上させることによりオーディオ情報全体を高音質で復号することができる。
【０１１３】
なお、上述した第２実施形態における加算補正値Ｃp,lの算出の際には相隣接する周波数帯域における量子化値の大小関係及び配分ビット数をパラメータとして用いたが、これ以外に、当該周波数帯域の周波数値そのもの及び量子化値ｙn,l(ｋ)そのものの大きさを用いて加算補正値Ｃp,lを算出することも可能である。
【０１１４】
但し、この場合には場合分けの数（上記ｐの最大値）が増大することとなり、メモリ２１の必要記憶容量の増大及びテーブルＴの作成処理の複雑化等を招来することとなる。
【０１１５】
また、上述した第２実施形態における加算補正値Ｃp,lの算出の際には、周波数軸上で相隣接する周波数帯域の量子化値を用いて当該加算補正値Ｃp,lを算出したが、これ以外に、相隣接はしないが近接する周波数帯域（例えば、一つおいて離れた周波数帯域）の量子化値を用いて算出してもよいし、或いは、低周波数側のみ又は高周波数側のみの他の周波数帯域の量子化値を用いて算出してもよい。
【０１１６】
更に、上述した加算補正値Ｃp,lの算出に用いられる量子化ステップｑlの値は、符号化の際の圧縮方式によって同じ配分ビット数ｌであっても異なってくる場合がある。
【０１１７】
より具体的には、上述した第１段階以降の処理における値ｙn(ｋ)が、
【０１１８】
【数９】
ｙn(ｋ)＝αn(k)×βn(k)
という形で表現され、更に、第２段階の処理において、量子化値ｙn(ｋ)の算出が、
【０１１９】
【数１０】
ｙn(ｋ)＝‖αn(ｋ)‖ql×βn(k)
により行われ、当該αn(ｋ)を配分ビット数ｌにより一様な量子化ステップｑlで量子化することとなる場合がある。
【０１２０】
そして、この場合には、ｙn(ｋ)＝‖αn(ｋ)‖qlについてのみ加算補正値Ｃp,lを算出し、その後の処理、例えば、表２に示す各場合については、
【０１２１】
【表３】
0003804902.tif 000007
【０１２２】
として補正値Ｙkが夫々算出されることとなる。
このとき、符号化値ｙkは、夫々、
【０１２３】
【数１１】
ｙk＝αk×βk
と表現されるものとなり、これらαk及びβkは符号化値ｙkの一部としてオーディオデータＳdp内に含まれていることとなる。
【０１２４】
（III）第３実施形態
次に、本発明に係る他の実施形態である第３実施形態について、図４を用いて説明する。なお、図４は第３実施形態に係る誤差補正部の細部構成を示すブロック図である。
【０１２５】
上述した第１及び第２実施形態は、上述した変換符号化により符号化され伝送されてきたオーディオ情報を復号するオーディオ情報復号装置に対して本発明を適用した場合について説明したが、以下の第３実施形態は、いわゆるサブバンド符号化により符号化され伝送されてきたオーディオ情報を復号するオーディオ情報復号装置に対して本発明を適用した場合について説明するものである。
【０１２６】
図４（ａ）に示すように、第３実施形態に係るオーディオ情報復号装置Ｓ’は、アンパック部３０と、第１復号部３１-1乃至第ｎ復号部３１-nと、加算器３２と、により構成されている。
【０１２７】
次に、動作を説明する。
【０１２８】
先ず、アンパック３０には、復号すべきサブバンド符号化されたオーディオ情報Ｓinが上記情報記録媒体又は放送電波を介して入力されている。このオーディオ情報Ｓinは、第１又は第２実施形態の変換符号化の場合と同様に、周波数帯域分割された後当該各周波数帯域毎に人の聴覚のマスキング特性を用いたビット配分が施されて圧縮符号化されており、当該オーディオ情報Ｓinには圧縮符号化されたオーディオ情報本体の他に、上記分割された周波数帯域毎のビット配分を示すビット配分情報が付帯して伝送されている。
【０１２９】
そして、アンパック部３０は、当該オーディオ情報Ｓinを上記オーディオ情報本体とビット配分情報とに分離し、夫々の情報を別個に含む分離データＳupを生成し、各復号部３１-1乃至３１-nに出力する。
【０１３０】
次に、各復号部３１-1乃至３１-nは、元のサブバンド符号化に対応して各復号部３１-1乃至３１-nに割り当てられた周波数帯域毎に、分離データＳupに含まれているビット配分情報を用いて当該分離データＳupに含まれているオーディオ情報本体を復号し、夫々の周波数帯域毎に帯域復号データＳdc1乃至Ｓdcnを生成して加算器３２に夫々出力する。
【０１３１】
そして、加算器３２は、各帯域復号データＳdc1乃至Ｓdcnを相互に加算し、復号されたオーディオ情報としての復号データＳoutを生成して外部に出力する。
【０１３２】
ここで、上述したオーディオ情報復号装置Ｓ’における復号処理においては、上記した変換符号化に対応する復号処理とは異なり、夫々の段階におけるオーディオ情報は時間軸上の情報のまま復号される。
【０１３３】
次に、各復号部３１-1乃至３１-nの細部構成及び動作について図４（ｂ）を用いて説明する。
【０１３４】
なお、各復号部３１-1乃至３１-nの夫々は、担当する周波数帯域が異なるのみでその他の構成は全く同様であるので、以下の説明ではこれらを代表して第１復号部３１-1の細部構成及び動作を説明する。
【０１３５】
図４（ｂ）に示すように、第１復号部３１-1は、逆量子化部４０と、本発明に係る誤差補正部４１と、補間部４２と、バンドパスフィルタ４３と、により構成されている。
【０１３６】
次に、動作を説明する。
【０１３７】
先ず、第１復号部３１-1に入力された分離データＳupは、逆量子化部４０及び誤差補正部４１へ夫々出力される。
【０１３８】
これにより、逆量子化部４０は、当該分離データＳupに含まれているビット配分情報を用いて当該分離データＳupに含まれているオーディオ情報本体に対してサブバンド符号化時における量子化処理に対応する逆量子化処理を施し、逆量子化データＳiqを生成して誤差補正部４１へ出力する。
【０１３９】
そして、誤差補正部４１は、逆量子化データＳiqに含まれている逆量子化されたオーディオ情報本体及び分離データＳupに含まれているビット配分情報を用いて後述する補正処理により当該逆量子化されたオーディオ情報本体に含まれる量子化誤差を補正し、時間軸上のオーディオ情報を含む補正データＳrvを生成して補間部４２へ出力する。
【０１４０】
これにより、補間部４２は、補正データＳrvに含まれているオーディオ情報に対していわゆるオーバサンプリング処理（すなわち、ゼロデータを必要なビット数だけ挿入する処理）を施し、補間データＳisを生成してバンドパスフィルタ４３へ出力する。
【０１４１】
そして、バンドバスフィルタ４３は、第１復号部３１-1が復号を担当すべき周波数帯域以外の周波数帯域に存在する補間データＳisを遮断し、当該担当すべき周波数帯域に存在する補間データＳisのみを上記復号データＳdc1として加算器３２へ出力する。
【０１４２】
次に、上記誤差補正部４１の細部動作について説明する。
【０１４３】
誤差補正部４１は、入力される逆量子化されたオーディオ情報本体及びビット配分情報を用いて、上記した第１実施形態の誤差補正部２又は第２実施形態の誤差補正部２’と同様の量子化誤差補正処理を行い、上記補正データＳrvを生成する。
【０１４４】
このとき、第１実施形態の誤差補正部２と同様の処理により補正データＳrvを生成するように誤差補正部４１を構成する場合には、当該誤差補正部４１を、第１実施形態の場合と同様の動作を実行する誤差範囲算出部１０及び補正処理部１１により構成する。
【０１４５】
そして、上記第１実施形態の動作説明における符号化値ｙkを各周波数帯域毎に逆量子化部４０により逆量子化された符号化値bｙ(k)に置換した誤差補正処理を行い、上記補正データＳrvに含まれるべき補正値bＹ(k)を生成することとなる。
【０１４６】
なお、この場合には、パラメータ「ｋ」は第１実施形態の場合における周波数軸を示すパラメータから時間軸を示すパラメータに変更されていることに留意する必要がある。
【０１４７】
一方、誤差補正部４１を、第２実施形態の誤差補正部２’と同様の処理により補正データＳrvを生成するように構成する場合には、当該誤差補正部４１を、第２実施形態の場合と同様の動作を実行する制御部２０及びメモリ２１により構成する。
【０１４８】
そして、上記第２実施形態の動作説明における量子化前の値ｙn(ｋ)を各周波数帯域毎に逆量子化部４０により逆量子化された符号化値bｙ(k)に置換した処理によりテーブルＴを構成する加算補正値Ｃp,lを生成し、これを用いて上記補正データＳrvに含まれるべき補正値bＹ(k)を生成することとなる。
【０１４９】
なお、この場合にも、パラメータ「ｋ」が時間軸を示すパラメータに変更されていることに留意する必要がある。
【０１５０】
以上説明したように、第３実施形態のオーディオ情報復号装置Ｓ’の動作に動作によれば、第１又は第２実施形態の場合と同様の復号精度向上の効果が、周波数帯域毎のサブバンド符号化により符号化されたオーディオ情報の復号処理について得られることとなる。
【０１５１】
【発明の効果】
以上説明したように、請求項１に記載の発明によれば、検出された量子化誤差の範囲と相関する他の符号化値に対応する量子化誤差の範囲とに基づいて一の符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【０１５２】
従って、周波数帯域分割後に符号化されたオーディオ情報のうち低ビット数で符号化された周波数帯域に対応するオーディオ情報の復号精度を向上させ、オーディオ情報全体を高音質で復号することができる。
【０１５３】
請求項２に記載の発明によれば、請求項１に記載の発明の効果に加えて、検出された量子化誤差の範囲と相関する他の符号化値に対応する量子化誤差の範囲とを用いて最小二乗法により量子化誤差を補正するので、高精度な復号値を出力することができる。
【０１５４】
請求項３に記載の発明によれば、請求項１又は２に記載の発明の効果に加えて、検出された量子化誤差の範囲と相隣接する周波数帯域により圧縮符号化された符号化値に対応する量子化誤差の範囲とに基づいて一の符号化値に対応する復号値を出力するので、簡易な処理により当該量子化誤差を補正し、オーディオ情報の復号精度を向上させることができる。
【０１５５】
請求項４に記載の発明によれば、オーディオ情報の符号化値と圧縮符号化前のオーディオ情報値との誤差と、相関する他の周波数帯域における符号化値のレベルと、に少なくとも基づいて予め算出された補正値をビット配分情報及び符号化値に基づいて読み出し、当該読み出した補正値及び符号化値に基づいて各周波数帯域毎に符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【０１５６】
従って、周波数帯域分割後に符号化されたオーディオ情報のうち低ビット数で符号化された周波数帯域に対応するオーディオ情報の復号精度を向上させ、オーディオ情報全体を高音質で復号することができる。
【０１５７】
請求項５に記載の発明によれば、請求項１から４のいずれか一項に記載の発明の効果に加えて、周波数帯域毎の変換符号化により圧縮符号化されたオーディオ情報の復号精度を向上させることによりオーディオ情報全体を高音質で復号することができる。
【０１５８】
請求項６に記載の発明によれば、請求項１から４のいずれか一項に記載の発明の効果に加えて、周波数帯域毎のサブバンド符号化により符号化されたオーディオ情報の復号精度を向上させることによりオーディオ情報全体を高音質で復号することができる。
【０１５９】
請求項７に記載の発明によれば、低ビット数で圧縮符号化された周波数帯域のオーディオ情報に含まれる量子化誤差を補正した復号値を生成して外部に出力するので、当該オーディオ情報の復号精度を向上させることによりオーディオ情報全体を高音質で復号することができる。
【０１６０】
請求項８に記載の発明によれば、検出された量子化誤差の範囲と相関する他の符号化値に対応する量子化誤差の範囲とに基づいて一の符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【０１６１】
従って、周波数帯域分割後に符号化されたオーディオ情報のうち低ビット数で符号化された周波数帯域に対応するオーディオ情報の復号精度を向上させ、オーディオ情報全体を高音質で復号することができる。
【０１６２】
請求項９に記載の発明によれば、請求項８に記載の発明の効果に加えて、検出された量子化誤差の範囲と相関する他の符号化値に対応する量子化誤差の範囲とを用いて最小二乗法により量子化誤差を補正するので、高精度な復号値を出力することができる。
【０１６３】
請求項１０に記載の発明によれば、請求項８又は９に記載の発明の効果に加えて、検出された量子化誤差の範囲と相隣接する周波数帯域により圧縮符号化された符号化値に対応する量子化誤差の範囲とに基づいて一の符号化値に対応する復号値を出力するので、簡易な処理により当該量子化誤差を補正し、オーディオ情報の復号精度を向上させることができる。
【０１６４】
請求項１１に記載の発明によれば、オーディオ情報の符号化値と圧縮符号化前のオーディオ情報値との誤差と、相関する他の周波数帯域における符号化値のレベルと、に少なくとも基づいて予め算出された補正値をビット配分情報及び符号化値に基づいて読み出し、当該読み出した補正値及び符号化値に基づいて各周波数帯域毎に符号化値に対応する復号値を出力するので、圧縮符号化時のビット配分において低ビット数で圧縮符号化された周波数帯域のオーディオ情報における量子化誤差を補正し、当該オーディオ情報の復号精度を向上させることができる。
【０１６５】
従って、周波数帯域分割後に符号化されたオーディオ情報のうち低ビット数で符号化された周波数帯域に対応するオーディオ情報の復号精度を向上させ、オーディオ情報全体を高音質で復号することができる。
【０１６６】
請求項１２に記載の発明によれば、請求項８から１１のいずれか一項に記載の発明の効果に加えて、周波数帯域毎の変換符号化により圧縮符号化されたオーディオ情報の復号精度を向上させることによりオーディオ情報全体を高音質で復号することができる。
【０１６７】
請求項１３に記載の発明によれば、請求項８から１１のいずれか一項に記載の発明の効果に加えて、周波数帯域毎のサブバンド符号化により符号化されたオーディオ情報の復号精度を向上させることによりオーディオ情報全体を高音質で復号することができる。
【０１６８】
請求項１４に記載の発明によれば、低ビット数で圧縮符号化された周波数帯域のオーディオ情報に含まれる量子化誤差を補正した復号値を生成して外部に出力するので、当該オーディオ情報の復号精度を向上させることによりオーディオ情報全体を高音質で復号することができる。
【図面の簡単な説明】
【図１】第１実施形態に係るオーディオ情報復号装置の構成を示すブロック図であり、（ａ）は全体構成を示すブロック図であり、（ｂ）は誤差補正部の細部構成を示すブロック図である。
【図２】第１実施形態に係る復号処理を示す模式図であり、（ａ）は量子化誤差の範囲を説明する模式図であり、（ｂ）は最小二乗法による補正値の算出を説明する模式図である。
【図３】第２実施形態に係るオーディオ情報復号装置の構成を示すブロック図であり、（ａ）は誤差補正部の細部構成を示すブロック図であり、（ｂ）はメモリに記憶されているテーブルの構成を示す図である。
【図４】第３実施形態に係るオーディオ情報復号装置の構成を示すブロック図であり、（ａ）は全体構成を示すブロック図であり、（ｂ）は復号部の細部構成を示すブロック図である。
【符号の説明】
１…情報抽出部
２、２’、４１…誤差補正部
３…変換部
１０…誤差範囲算出部
１１…補正処理部
２０…制御部
２１…メモリ
３０…アンパック部
３１-1…第１復号部
３１-2…第２復号部
３１-3…第３復号部
３１-n…第ｎ復号部
３２…加算器
４０…逆量子化部
４２…補間部
４３…バンドパスフィルタ
Ｓ、Ｓ’…オーディオ情報復号装置
Ｔ…テーブル
Ｓin…オーディオ情報
Ｓpd…オーディオデータ
Ｓar…配分データ
Ｓrv…補正データ
Ｓout…復号データ
Ｓsp…範囲データ
Ｓc…制御信号
Ｓad…補正加算データ
Ｓup…分離データ
Ｓdc1、Ｓdc2、Ｓdc3、Ｓdcn…帯域復号データ
Ｓiq…逆量子化データ
Ｓis…補間データ
【図１】
0003804902.tif 000008
【図２】
0003804902.tif 000009
【図３】
0003804902.tif 000010
【図４】
0003804902.tif 000011